(57)【要約】【課題】冷えた浴槽の湯の追焚き開始時に、熱交換器部分に停滞していた熱い湯に浴槽内の冷えた湯を混合して浴槽に戻すようにして急激に熱い湯が浴槽に入らないようにするとともに、温水タンク内の湯温が変化しても常に浴槽の湯温が設定温度になるように浴槽に追焚循環路内の湯が供給される風呂給湯装置を提供するとを目的とするものである。【解決手段】温水タンク５内の湯と給水源からの水とを混合する湯水混合手段１９を設ける。給湯路２１と浴槽１との間に往き管２９、戻り管３０および温水タンク５内を通過する部分に温水タンク５内の湯と熱交換させて浴槽１の湯を追焚きさせる熱交換部３９からなる追焚循環路３８を設ける。往き管２９の中間部と、戻り管３０の中間部をバイパス管３７で夫々つないで浴槽１との間で循環路を２８形成する。循環路２８に風呂湯温検知センサ３３、追焚湯温検知センサ３６および循環ポンプ３２を設ける。給湯路２１と往き管２９の接続部分に流路切換手段２７と、バイパス管３７と戻り管３０との接続部分に流量調節手段３５を夫々設ける。【選択図】　　　　　図１
2004003736.tif 000002
【特許請求の範囲】
【請求項１】
温水タンクと、この温水タンク内の湯と給水源からの水とを混合する湯水混合手段と、この湯水混合手段に接続され浴槽に湯を給湯する給湯路と、この給湯路と前記浴槽との間に設けられ往き管、戻り管および前記温水タンク内を通過する部分に前記温水タンク内の湯と熱交換させて前記浴槽の湯を追焚きさせる熱交換部からなる追焚循環路とを備えた風呂給湯装置において、前記往き管の中間部と、前記戻り管の中間部をバイパス管で夫々つないで前記浴槽との間で循環路を形成し、この循環路に風呂湯温検知センサ、追焚湯温検知センサおよび循環ポンプとを設けるとともに、前記給湯管と前記往き管の接続部分に流路切換手段と、前記バイパス管と前記戻り管との接続部分に流量調節手段とを夫々設けたことを特徴とする風呂給湯装置。
【請求項２】
温水タンクと、この温水タンク内の湯が給湯される浴槽と、前記温水タンク内と前記浴槽との間を往き管、戻り管および温水タンク内を通過する部分に温水タンク内の湯と熱交換させて前記浴槽の湯を追焚きさせる熱交換部を有する追焚循環路を備えた風呂給湯装置において、前記往き管および前記戻り管の中間部をバイパス管でつないで前記浴槽との間に循環路を形成し、この循環路に風呂湯温検知センサ、追焚湯温検知センサおよび循環ポンプとを設けるとともに、前記バイパス管と前記往き管の接続部分に流路切換手段と、前記バイパス管と前記戻り管との接続部分に流量調節手段を夫々設けたことを特徴とする風呂給湯装置。
【発明の詳細な説明】
【０００１】
本発明は、浴槽の湯の追焚き機能を有する風呂給湯装置に関する。
【０００２】
【従来技術】
従来、浴槽の湯の追焚き機能を有した風呂給湯装置は、例えば特開平１１−８３１５６号公報の図３に記載されているように、貯湯タンク１から給湯管７に給湯された湯を、給水管８に供給された水と混合し、混合湯管１０を通って循環路内に入り、往き管１５と戻り管１６の両管を通って浴槽１４内に自動湯はりが行われる。そして、浴槽１４内の湯が予め設定された水位に達すると、電磁弁１７が閉じられる。そして循環ポンプ１９が作動して浴槽１４内の湯が循環路１２内を循環し、湯温が温度センサ２２によって検知される。湯温が冷めているときは、保温ヒータ３２によって循環路１２内の浴槽水が追焚き加温される風呂給湯装置が知られている。
【０００３】
しかし、このような風呂給湯装置によれば、浴槽水を保温するための保温ヒータ３２が必要であり高価なものになるとともに、保温に時間がかかる等の問題があった。そこで、これらの問題を解消する目的で特開平１１−８３１５６号公報の図１に示されているように、貯湯タンク１の湯と水とを混合する混合手段６を設けると共に、混合手段６と浴槽１４間に往き管１５と戻り管１６からなる循環路１２を設けた浴槽１４の湯はり機能や保温機能を有する給湯装置において、循環路１２の一部を貯湯タンク１の上部を通過させるようにして、循環路１２内の湯と熱交換させるようにしたものが知られている。
【０００４】
また、実用新案登録第２５５６５２７号公報の図１に記載されているように、単に温水タンク１と浴槽２との間で浴槽水を循環させる温水循環流路４を設け、この温水循環流路４の一部を温水タンク１内の上部を通過させることにより、温水タンク１内の湯と熱交換させて浴槽２内の湯を追焚き加温する熱交換器１ｅを設けた循環式温水利用装置が知られている。
【０００５】
【発明が解決しようとする課題】
しかし、上記した特開平１１−８３１５６号公報に記載される風呂給湯装置および、実用新案登録第２５５６５２７号公報に記載される循環式温水利用装置の追焚き装置は、いずれも、ポンプ循環による追焚き開始時において、熱交換器部分に停滞していた熱い湯が急激に熱交換器の配管容量分浴槽に入るため、入浴者の皮膚に触れて火傷の恐れがある。また、熱交換器部分に停滞していた熱い湯が放熱された後の通常の追焚き循環湯は温水タンク内の湯温が変化すると、この変化した湯温で吸熱され追焚循環路内を循環されるため、そのまま、浴槽に入れると設定温度の湯を浴槽に供給できない不具合があった。
【０００６】
本発明は、このような点に鑑みなされたもので、冷えた浴槽の湯の追焚き開始時に、熱交換器部分に停滞していた熱い湯に浴槽内の冷えた湯を混合して浴槽に戻すようにして急激に熱い湯が浴槽に入らないようにするとともに、温水タンク内の湯温が変化しても常に浴槽の湯温が設定温度になるように浴槽に追焚循環路内の湯が供給される風呂給湯装置を提供するとを目的とするものである。
【０００７】
【課題を解決するための手段】
請求項１記載の風呂給湯装置は、温水タンクと、この温水タンク内の湯と給水源からの水とを混合する湯水混合手段と、この湯水混合手段に接続され浴槽に湯を給湯する給湯路と、この給湯路と前記浴槽との間に設けられ往き管、戻り管および前記温水タンク内を通過する部分に前記温水タンク内の湯と熱交換させて前記浴槽の湯を追焚きさせる熱交換部からなる追焚循環路とを備えた風呂給湯装置において、前記往き管の中間部と、前記戻り管の中間部をバイパス管で夫々つないで前記浴槽との間で循環路を形成し、この循環路に風呂湯温検知センサ、追焚湯温検知センサおよび循環ポンプとを設けるとともに、前記給湯管と前記往き管の接続部分に流路切換手段と、前記バイパス管と前記戻り管との接続部分に流量調節手段とを夫々設けたものである。
【０００８】
そして、請求項１記載の風呂給湯装置によれば、冷えた浴槽の湯の追焚き開始時に、浴槽内の冷えた湯と熱交換部部分に停滞していた熱い湯を混合して浴槽に戻すようにしたため、急激に熱い湯が浴槽に入らず火傷の恐れがなく安全である。また、追焚き開始時の熱交換部部分に停滞していた熱い湯を放熱した後の通常の追焚循環加温時は、温水タンク内の湯温が変化しても戻り管から浴槽に入る湯温に応じて、浴槽から戻される冷めた湯の一部に、追焚循環路から戻される加温された湯水の流量を流量調節手段で調節して混合させるようにしているため、常に設定温度の湯温になるように追焚き加温後の湯が浴槽に供給される。
【０００９】
請求項２記載の風呂給湯装置は、温水タンクと、この温水タンク内の湯が給湯される浴槽と、前記温水タンク内と前記浴槽との間を往き管、戻り管および温水タンク内を通過する部分に温水タンク内の湯と熱交換させて前記浴槽の湯を追い焚きさせる熱交換部を有する追焚循環路を備えた風呂給湯装置において、前記往き管および前記戻り管の中間部をバイパス管でつないで前記浴槽との間に循環路を形成し、この循環路に風呂湯温検知センサ、追焚湯温検知センサおよび循環ポンプとを設けるとともに、前記バイパス管と前記往き管の接続部分に流路切換手段と、前記バイパス管と前記戻り管との接続部分に流量調節手段を夫々設けたものである。
【００１０】
そして、請求項２記載の風呂給湯装置によれば、請求項１記載の風呂給湯装置と同様に、冷えた浴槽の湯の追焚き開始時に、浴槽内の冷えた湯と熱交換部部分に停滞していた熱い湯を混合して浴槽に戻すようにしたため、急激に熱い湯が浴槽に入らず火傷の恐れがなく安全である。また、追焚き開始後の通常の追焚循加温時は、温水タンク内の湯温が変化しても戻り管から浴槽に入る湯温に応じて、浴槽から戻される冷めた湯の一部に、循環路から戻される加温された湯の流量を流量調節手段で調節して混合させるようにしているため、温水タンク内の湯温が変化しても常に設定温度の湯温になるように浴槽に湯が供給される。
【００１１】
【発明の実施の形態】
以下、本発明の第１の実施形態を図面を参照して説明する。
【００１２】
【実施例】
図１は風呂給湯装置の構成図を示し、屋内の浴室に浴槽１と、屋外などに貯湯ユニット２と、ヒートポンプユニツト３および湯はりユニット４が配設さている。
【００１３】
貯湯ユニット２は、温水タンク５を備え、この温水タンク５は、先止め式の給水給湯方式を採用しており、水源である水道に直結された減圧弁６を有する給水管７と、この給水管７から分岐して配管部８が接続されている。また、温水タンク５の上部には沸き上げた湯を浴槽、台所などに給湯する給湯管９が接続されている。また、温水タンク５には、温水タンク５の下部から出て温水タンク５の上部に戻る沸上循環路１０が接続されている。この沸上循環路１０の中間部は温水タンク５から出てヒートポンプユニツト３内において温水タンク５の下部の湯水を沸上循環路１０内に強制的に引き込んで温水タンク５の上部に循環させる沸上循環ポンプ１１と、熱交換器１２が配設されている。
【００１４】
また、ヒートポンプユニツト３は、冷媒が充填された冷媒回路１３を有し、この冷媒回路１３には、圧縮機１４、凝縮器として機能する熱交換器１２、膨張弁１５および蒸発器１６が順に接続されている。また、蒸発器１６は、外気を蒸発器１６に送る送風ファン１７および、この送風ファン１７を回転駆動させる送風モータ１８を備えている。
【００１５】
また、湯はりユニット４は、湯水混合手段てしの電動式の湯水混合栓１９を有し、この湯水混合栓１９に、給水管７から分岐した分岐管２０、給湯管９が夫々接続されている。そして、この湯水混合栓１９により温水タンク５から給湯管９を通じて給湯される湯と分岐管２０を通じて給水される水とが混合され、これら湯と水との混合割合により給湯管２１から出湯される湯の出湯温度が調整される。
【００１６】
湯水混合栓１９の給湯管２１の途中にホッパ２２が接続され、このホッパ２２には、給湯管２１の流路を開閉するソレノイドやモータを駆動源とする給水電磁弁２３、断水などで給水圧が低下した場合に湯水混合栓１９側と浴槽１側とを遮断する負圧作動弁２４、この負圧作動弁２４を通じて給湯される湯の給湯量を検知する流量センサ２５、湯水混合栓１９側から浴槽１への湯の流通を許容するとともに浴槽１側から湯水混合栓１９側への湯の逆流を規制する逆止弁２６が配設されている。
【００１７】
給湯管２１の先端と浴槽１との間には追焚循環路３８が設けられている。この追焚循環路３８は、往き管２９および戻り管３０を有し、これら往き管２９および戻り管３０の一端が夫々、浴槽１に設置される循環金具３１に一体的に接続されるとともに、他端には温水タンク５内の上部に配置され温水タンク５内の湯と熱交換され冷めた浴槽水を追焚きする熱交換部３９が設けらている。また、往き管２９には湯の流れを検知する水流スイッチ４０が配設されている。
【００１８】
また、往き管２９の中間部と、戻り管３０の中間部分をつなぐバイパス管３７が設けられ、浴槽１と往き管２９および戻り管３０との間で循環路２８が形成されている。この循環路２８には、往き管２９内の湯を強制的に送って循環路２８内の湯を強制的に循環させる循環ポンプ３２、循環路２８内の湯水温度を検知する風呂湯温検知センサ３３が配設されている。また、循環路２８内の戻り管３０に追い焚き湯温検知センサ３６が配設されている。さらに、バイパス管３７の往き管２９側に浴槽１の水位を検知するための圧力センサ（水位センサ）３４が配設されている。また、バイパス管３７の一端と給湯管２１の先端部分との接続部分に流路切換手段としての電動三方弁２７が設けられ、バイパス管３７の他端と戻り管３０との接続部分に流量調節手段としての三方弁３５が配設されている。
【００１９】
そして、流路切換手段としての電動三方弁２７は、給湯管２１と往き管２９とを接続して浴槽１に湯はりする流路と、往き管２９の追焚循環路３８側の流路を閉塞してバイパス管３７、戻り管３０、浴槽１との間で浴槽１の湯温を監視する循環路２８を形成する流路と、往き管２９と追焚循環路３８とを接続した流路の３つの流路に切り換えられるようになっている。また、流量調節手段としての三方弁３５は、往き管２９、バイパス管３７、戻り管３０とを接続して循環路２８が形成されるように流量を調節する流路と、戻り管３０と追焚循環路３８とを接続して流路が形成されるように流量を調節して切換える２つの流路に切り換えられるようになっている。
【００２０】
また、４１はリモコンを示し、このリモコン４１は、浴室の壁面などに配設され、貯湯ユニット２と、ヒートポンプユニツト３および湯はりユニット４などをを操作するもので、このリモコン４１の表面に図示しない自動湯はりスイッチ、時刻、浴槽１の水位、湯温などを表示する表示手段を有している。
【００２１】
また、４２は運転制御手段としての制御装置で、この制御装置４２は、リモコン４１の操作により給水電磁弁２３を開放して湯はりを開始させたり、湯はりに際しては圧力センサ３４からの圧力値を監視しながら設定水位に湯はりを行ったり、浴槽の湯水温度が低下した場合、風呂湯温検知センサ３３の湯温信号を入力し、電動三方弁２７を切換え、三方弁３５の流量を調節し、循環ポンプ３２を駆動して循環路２８を循環駆動させたり、三方弁３５の流量を調節し追焚循環路３８側に切換えて追焚循環路３８を循環駆動させたり、ヒートポンプユニツト３を駆動して温水タンク５内の湯水を沸き上げたりするなどの制御を行うようになっている。なお、４３は補助ヒータで、この補助ヒータ４３はヒートポンプユニツト３で充分に集熱できない場合に動作させて温水タンク５内の湯水を沸き上げるものである。
【００２２】
次に、温水タンク内の湯の沸き上げ作用について図１の風呂給湯装置の構成図により説明する。
【００２３】
給水管７および配管部８を通じて温水タンク５内に水道水が貯留される。そして、制御装置４２により圧縮機１４が駆動される。これにより、矢印で示すように、冷媒は、圧縮機１４、熱交換器としての凝縮器１２、膨張弁１５、蒸発器１６の順に流れる。蒸発器１６で大気熱を集熱し気化された冷媒は圧縮機１４に送られ、圧縮機１４で圧縮されて出た高温高圧の冷媒ガスは、凝縮器１２で沸上循環路１０内の水と熱交換される。
【００２４】
一方、沸上循環路１０の沸上循環ポンプ１１が駆動され、矢印で示すように温水タンク５下部の水が沸上循環路１０を上昇し、熱交換器としての凝縮器１２で熱交換され、矢印で示すように湯となって温水タンク５上部に入り、これを繰り返し約９０℃の湯が順次積層され温水タンク５全体の水が沸上げられる。また、湯水混合栓１９により温水タンク５から給湯管９を通じて給湯される湯と分岐管２０を通じて給水される水とが混合され、これら湯と水との混合割合により適度の湯温となって台所や洗面所などに供給される。
【００２５】
次に、浴槽への湯はり作用について図２の風呂給湯装置の構成図により説明する。
【００２６】
まず、リモコン４１の図示しない自動湯はりスイッチをオンし、給水電磁弁２３を開き、電動三方弁２７を駆動して往き管２９と接続し、湯水混合栓１９で設定出湯温度に混合調整された湯を給湯路２１、往き管２９を通じて浴槽１へ給湯する。そして、流量センサ２５の検知に基づく給湯量、あるいは圧力センサ３４の検知に基づく浴槽１の水位に基づいて、湯はりしたら、給水電磁弁２３を閉じ、湯はりを完了する。
【００２７】
次に、風呂給湯装置の浴槽湯温の監視作用について図３により説明する。
【００２８】
湯はり後は、電動三方弁２７を往き管２９側に切換えるとともに、三方弁３５を戻り管３０側に切換えて浴槽１との間で循環路を形成する。そして、所定時間毎に循環ポンプ３２を駆動し、浴槽１と循環路２８との間で湯を循環させて風呂湯温検知センサ３３で浴槽１の湯温を監視する。この時、追焚循環路３８の熱交換部３９に湯は流れず温水タンク５内の湯は熱交換されず、無駄な熱量を消費することがない。
【００２９】
次に、浴槽の冷めた湯の追焚き開始初期の作用について図４により説明する。
【００３０】
風呂湯温検知センサ３３で浴槽１の湯温が設定温度より所定温度低下したことを検知したら、この湯温信号が制御装置４２に送られ、この湯温信号に基づいて電動三方弁２７がバイパス路３７側と追焚循環路３８の熱交換部側の往き側２９との両方が連通するように切変る。一方、三方弁３５は、循環路２８の戻り管３０側と追焚循環路３８の熱交換部３９の両方が連通するように切変わる。そして、循環ポンプ３２が駆動され、浴槽１の冷めた湯は電動三方弁２７を通じて矢印で示すように追焚循環路３８の熱交換部３９側の往き管２９とバイパス路３７の両方に流れる。そして、追焚循環路３８の往き管２９側に流れた冷めた浴槽の湯水は、温水タンク５内の高温の湯水により加熱されている熱交換器３９の熱により熱交換されて温められ、追焚循環路３８の戻り管３０、三方弁３５を通じてを通じて浴槽１へ戻され、この循環を繰返し浴槽１の湯水は昇温される。
【００３１】
ところで、浴槽の冷めた湯の追焚き開始初期においては、熱交換器３９に停滞していた高温の湯がそのまま浴槽１に入ると入浴者に火傷の恐れがあるが、追焚循環路３８側の戻り管３０から流量調節手段としての三方弁３５に入る流量が、追焚湯温検知センサ３６で検知される湯温に基づいて三方弁３５の開放角度が調節されることにより調節されて入いるとともに、往き管２９、バイパス路３７を通じて三方弁３５に入る浴槽１の冷めた湯が三方弁３５で混合され比較的低温度の湯として浴槽１に戻される。
【００３２】
すなわち、浴槽１の冷めた湯の追焚き開始初期においては、追焚湯温検知センサ３６で検知する湯温が高いため、三方弁３５の開放角度を絞られ、追焚循環路３８側の戻り管３０から流量調節手段としての三方弁３５に入る流量が絞られ、浴槽１内の湯水温度が設定温度になるような湯温として浴槽１内に戻される。したがって、追焚き開始時に熱交換部３９に停滞していた高温の湯がそのまま浴槽１に入ることがなく入浴者に火傷の恐れがない。
【００３３】
また、追焚き開始後の通常の追焚き加温時において、例えば、温水タンク内の湯温が低下したような場合、追焚湯温検知センサ３６で検知される湯温が低くなり、その、低い湯温信号が制御装置４２に送られ、この湯温信号に基づいて流量調節手段としての三方弁３５の開放角度が調節されて広がる。この結果、熱交換部３９で加温され追焚循環路３８の戻り管３０から流量調節手段としての三方弁３５に入る流量が低下した湯温に応じて多くなり、往き管２９よりバイパス路３７を通じて戻される冷めた浴槽１の湯水と混合され、浴槽１の湯温が常に設定湯温になるように調節された湯水が浴槽１に供給される。そして、この追焚き加温は、風呂湯温検知センサ３３で浴槽湯温が設定温度を検知するまで行われる。
【００３４】
次に、本発明の第２の実施形態を図面を参照して説明する。
【００３５】
第２の実施形態の風呂給湯装置は、第１の実施形態の風呂給湯装置の自動湯はり方式に代えて、直接、給湯管から浴槽に湯を張るものであり、第１の実施形態の風呂給湯装置と同一部分に同一符号を付して説明する。
【００３６】
図５は、風呂給湯装置の構成図を示し、浴槽１と温水タンク５とが配設されている。温水タンク５は、先止め式の給水給湯方式を採用しており、水源である水道に直結され減圧弁６を有する給水管７と、この給水管７から分岐して配管部８が接続されている。また、温水タンク５内には下ヒータ４３と上ヒータ４４が設けられている。また、温水タンク５の上部には沸上られた湯を浴槽１などに給湯する給湯管９が設けられ、混合水栓４５を手動操作することにより、給湯管９から給湯される湯と、給水管７から分岐して設けられた分岐管２０の水とを混合して適度の湯温とし浴槽１に湯をはるようになっている。
【００３７】
３８は追焚循環路で、この追焚循環路３８は、往き管２９および戻り管３０を有し、これら往き管２９および戻り管３０の一端が夫々、浴槽１に設置される循環金具３１に一体的に接続されるとともに、他端には温水タンク５内の上部に配置され温水タンク５内の湯と熱交換され冷めた浴槽水を追焚きする熱交換部３９が設けらている。
【００３８】
２８は循環路で、この循環路２８は、往き管２９の中間部と戻り管３０の中間部とをバイパス管３７でつなぎ、往き管２９、戻り管３０および浴槽１との間で循環路２８が形成される。また、この循環路２８には、往き管２９内の湯を強制的に送って循環路２８内の湯を強制的に循環させる循環ポンプ３２、循環路２８内の湯の温度を検知する風呂湯温検知センサ３３が配設されている。さらに、循環路２８内の戻り管３０に追焚湯温検知センサ３６が配設されている。また、往き管２９とバイパス管３７の一端との接続部分に流路切換手段としての電動三方弁２７が設けられ、戻り管３０とバイパス管３７の他端との接続部分に流量調節手段としての三方弁３５が配設されている。
【００３９】
そして、流路切換手段としての電動三方弁２７は、循環路２８側の往き管２９と追焚循環路３８側の往き管２９とを接続する流路と、循環路２８の往き管２９とバイパス管３７とを接続する流路と、循環路２８側の往き管２９と、追焚循環路３８側の往き管２９とバイパス管３７の両方を接続する流路の３つの流路に切り換えられるようになっている。また、流量調節手段としての三方弁３５は、循環路２８側の戻り管３０と追焚循環路３８側の戻り管３０とを接続する流路と、循環路２８側の戻り管３０とバイパス管３７とを接続する２つの流路に切り換えられるようになっている。
【００４０】
また、４１はリモコンを示し、このリモコン４１は、浴室の壁面などに配設され、このリモコン４１の表面に図示しない時刻、浴槽１の湯温などを表示する表示手段を有している。
【００４１】
また、４２は運転制御手段としての制御装置で、この制御装置４２は、浴槽の湯温が低下した場合、風呂湯温検知センサ３３の湯温信号を入力し、電動三方弁２７を切換えるとともに、三方弁３５の流量を調節し、循環ポンプ３２を駆動して循環路２８を循環駆動させたり、三方弁３５を追焚循環路３８側に切換えて追焚循環路３８を循環駆動させたりするようになつている。
【００４２】
次に、温水タンク内の湯の沸き上げ作用および浴槽への湯はり作用について、図５の風呂給湯装置の構成図により説明する。
【００４３】
給水管７および配管部８を通じて温水タンク１内に水道水が貯留される。そして、下ヒータ４３により温水タンク内１の水が沸上げられる。なお、上ヒータ４４は追焚循環路３８が駆動され、温水タンク５内の湯の温度が低下した場合に通電される。そして、下ヒータ４３により沸上げられた温水タンク１内の湯は混合水栓４５を手動操作することにより、給湯管９からの湯と分岐管２０からの水道水と混合されて適温となって浴槽１に湯はりされる。
【００４４】
次に、風呂給湯装置の浴槽湯温の監視作用について図６により説明する。
【００４５】
湯はり後は、電動三方弁２７を駆動して、循環路２８内の往き管２９とバイパス管３７とを接続する。一方、流量調節主多段としての三方弁３５を駆動して、循環路２８内の戻り管３０とバイパス管３７とを接続する。これにより、往き管２９、バイパス管３７、戻り管３０および浴槽１との間で循環路２８が形成される。そして、所定時間毎に循環ポンプ３２を駆動し、浴槽１と循環路２８との間で湯を循環させて風呂湯温検知センサ３３で浴槽１の湯温を監視する。この時、追焚循環路３８の熱交換部３９に湯は流れず温水タンク５内の湯は熱交換されず、無駄な熱量を消費することがない。
【００４６】
次に、浴槽の冷めた湯の追焚き開始初期の作用について図７により説明する。
【００４７】
風呂湯温検知センサ３３で浴槽１の湯温が設定温度より所定温度低下したことを検知したら、この湯温信号が制御装置４２に送られ、この湯温信号に基づいて電動三方弁２７がバイパス路３７側と追焚循環路３８の熱交換部側の往き側２９との両方が連通するように切換わる。一方、三方弁３５は、循環路２８側の戻り管３０と追焚循環路３８の熱交換部３９の両方が連通するように切変える。そして、循環ポンプ３２が駆動され、浴槽１の冷めた湯は電動三方弁２７を通じて矢印で示すように追焚循環路３８の熱交換部３９側の往き管２９とバイパス路３７の両方に流れる。そして、追焚循環路３８の往き管２９側に流れた冷めた浴槽の湯水は、温水タンク５内の高温の湯水により加熱されている熱交換器３９の熱により熱交換されて温められ、追焚循環路３８側の戻り管３０、三方弁３５を通じて浴槽１へ戻され、この循環を繰返し浴槽１の湯水は昇温される。
【００４８】
ところで、浴槽の冷めた湯の追焚き開始初期においては、熱交換器３９に停滞していた高温の湯がそのまま浴槽１に入ると入浴者に火傷の恐れがあるが、追焚循環路３８側の戻り管３０から流量調節手段としての三方弁３５に入る流量が、追焚湯温検知センサ３６で検知される湯温に基づいて流量調節手段としての三方弁３５の開放角度が調節されることにより調節されて入いるとともに、往き管２９、バイパス路３７を通じて三方弁３５に入る浴槽１の冷めた湯が三方弁３５で混合され比較的低温度の湯として浴槽１に戻される。
【００４９】
すなわち、第１の実施形態の風呂給湯装置で説明したと同様に、浴槽１の冷めた湯の追焚き開始初期においては、追焚湯温検知センサ３６で検知される湯温が高いため、三方弁３５の開放角度が絞られ、追焚循環路３８の戻り管３０から流量調節手段としての三方弁３５に入る流量が絞られ、浴槽１内の湯水温度が設定温度になるような湯温として浴槽１内に戻される。したがって、追焚き開始時に熱交換部３９に停滞していた高温の湯がそのまま浴槽１に入ることがなく入浴者に火傷の恐れがない。
【００５０】
また、追焚き開始後の通常の追焚加温時において、例えば、温水タンク内の湯温が低下したような場合、追焚湯温検知センサ３６で検知する湯温が低くなり、その、低い湯温信号が制御装置４２に送られ、この湯温信号に基づいて流量調節手段としての三方弁３５の開放角度が調節されて広がる。この結果、熱交換部３９で加温され追焚循環路３８側の戻り管３０から流量調節手段としての三方弁３５に入る流量が低下した湯温に応じて多くなり、往き管２９よりバイパス路３７を通じて戻される冷めた浴槽１の湯水と混合され、浴槽１の湯温が常に設定湯温になるように調節された湯水が浴槽１に供給される。そして、この追焚き加温は、風呂湯温検知センサ３３で浴槽湯温が設定温度を検知するまで行われる。
【００５１】
【発明の効果】
請求項１記載の風呂給湯装置によれば、追い焚き開始持に熱交換部に停滞していた高温の湯がそのまま浴槽に入ることがなく火傷の恐れがない。また、追焚き開始時の熱交換部部分に停滞していた熱い湯の放出直後の通常の追焚加温時は、温水タンク内の湯温が変化しても戻り管から浴槽に入る湯温に応じて、浴槽から戻される冷めた湯の一部に、追焚循環路から戻される加温された湯水の流量を流量調節手段で調節して混合させるようにしているため、温水タンク内の湯温が変化しても常に設定温度の湯温になるように追焚き加温後の湯が浴槽に供給される。
【００５２】
請求項２記載の風呂給湯装置によれば、請求項１記載の風呂給湯装置同様に、追い焚き開始持に熱交換部に停滞していた高温の湯がそのまま浴槽に入ることがなく火傷の恐れがない。また、追焚き開始時の熱交換部部分に停滞していた熱い湯の放出直後の通常の追焚加温時は、温水タンク内の湯温が変化しても戻り管から浴槽に入る湯温に応じて、浴槽から戻される冷めた湯の一部に、追焚循環路から戻される加温された湯水の流量を流量調節手段で調節して混合させるようにしているため、温水タンク内の湯温が変化しても常に設定温度の湯温になるように追焚き加温後の湯が浴槽に供給される。
【図面の簡単な説明】
【図１】本発明の第１の実施形態を示す風呂給湯装置の構成および温水タンク内の湯の沸き上げ作用を説明する説明図である。
【図２】同上、風呂給湯装置の浴槽への湯はり作用を説明する説明図である。
【図３】同上、給湯装置の浴槽湯温の監視状態を説明する説明図である。
【図４】同上、給湯装置の浴槽の湯の追い焚き開始時の状態を説明する説明図ある。
【図５】第２の実施形態を示す風呂給湯装置の構成および温水タンク内の湯の沸き上げ作用を説明する説明図である。
【図６】同上、風呂給湯装置の浴槽湯温の監視状態を説明する説明図である。
【図７】同上、給湯装置の浴槽の湯の追い焚き開始時の状態を説明する説明図ある。
【符号の説明】
１　　浴槽
２　　貯湯ユニット
３　　ヒーポンユニット
４　　湯はりユニット
５　　温水タンク
１０　　沸上循環路
１９　　湯水混合手段
２１　　給湯路
２７　　流路切換手段としの電動三方弁
２８　　循環路
２９　　往き管
３０　　戻り管
３２　　循環ポンプ
３３　　風呂湯温検知センサ
３５　　流量調節手段としての三方弁
３６　　追焚湯温検知センサ
３７　　バイパス管
３８　　追焚循環路
３９　　熱交換部
【図１】
2004003736.tif 000003
【図２】
2004003736.tif 000004
【図３】
2004003736.tif 000005
【図４】
2004003736.tif 000006
【図５】
2004003736.tif 000007
【図６】
2004003736.tif 000008
【図７】
2004003736.tif 000009